(57)【要約】      （修正有）【課題】医療共同作業のシステムを提供する。【解決手段】システムは、電子共同作業セッション内で臨床的内容に関する通信入力を受諾する通信インターフェースを含む。システムはまた、入力を自動的に分析して、入力に対応する１つまたは複数の命令を識別し、共同作業セッションに関連する内容に関して、識別した１つまたは複数の命令を自動的に実行する共同作業エンジンをも含む。共同作業エンジンは、識別した１つまたは複数の命令の実行結果を、共同作業セッション内で少なくとも１人の共同作業者に提供する。【選択図】図１
2012141979.tif 000002
【特許請求の範囲】
【請求項１】
共同作業的通信での自動コマンド認識および実行のためのコンピュータ実装方法（８００、９００）であって、
電子共同作業セッション内で臨床的内容に関する通信入力を受諾するステップ（８２０）と、
前記入力を自動的に分析して、前記入力に対応する１つまたは複数の命令を識別するステップと（８３０）、
前記共同作業セッションに関連する内容に関して、識別した１つまたは複数の命令を自動的に実行するステップと（８４０）、
前記識別した１つまたは複数の命令の実行結果を、前記共同作業セッション内の少なくとも１人の共同作業者に提供するステップ（８５０）と
を含む方法（８００、９００）。
【請求項２】
前記内容が放射線画像を含み、前記１つまたは複数の命令が、前記放射線画像に関して１つまたは複数のアクションを取るように命令する、請求項１記載の方法（８００、９００）。
【請求項３】
前記１つまたは複数の命令の実行に続いて、共同作業者による前記内容との別の対話を実施するステップ（８６０）をさらに含む、請求項１記載の方法（８００、９００）。
【請求項４】
共同作業的通信での自動コマンド認識および実行を実施する共同作業システム（１００、２００、３００、４００、５００、６００、７００、１３００、１４００）であって、
電子共同作業セッション（３１０、４１０、５１０）内で臨床的内容に関する通信入力（１２５、２１５、３１４、４１５、５１５、６１５、１０１０）を受諾する通信インターフェース（１１０、３１０、４１０、４３０、５１０、５２０、６１０、６２０、７２０、７３０、１３４５、１３５５）と、
前記入力（１２５、２１５、３１４、４１５、５１５、６１５、１０１０）を自動的に分析して、前記入力（１２５、２１５、３１４、４１５、５１５、６１５、１０１０）に対応する１つまたは複数の命令（１２５、２１５、３１５、５１６、５１８、６２４、１０１２、１０１４、１０１６）を識別し、前記共同作業セッション（３１０、４１０、５１０）に関連する内容に関して、識別した１つまたは複数の命令（１２５、２１５、３１５、５１６、５１８、６２４、１０１２、１０１４、１０１６）を自動的に実行する共同作業エンジン（４２０、７１０）であって、前記識別した１つまたは複数の命令（１２５、２１５、３１５、５１６、５１８、６２４、１０１２、１０１４、１０１６）の実行結果を、前記共同作業セッション（３１０、４１０、５１０）内で少なくとも１人の共同作業者に提供する共同作業エンジン（４２０、７１０）と
を備える共同作業システム（１００、２００、３００、４００、５００、６００、７００、１３００、１４００）。
【請求項５】
前記内容が放射線画像を含み、前記１つまたは複数の命令（１２５、２１５、３１５、５１６、５１８、６２４、１０１２、１０１４、１０１６）が、前記放射線画像に関して１つまたは複数のアクションを取るように命令する、請求項４記載のシステム（１００、２００、３００、４００、５００、６００、７００、１３００、１４００）。
【請求項６】
１人または複数の共同作業者が、通信デバイス（１００、４３０、５２０、６１０、６２０、７２０、７３０、１３４０、１３５０）のタイプに従って編成され、関連付けられる、請求項４記載のシステム（１００、２００、３００、４００、５００、６００、７００、１３００、１４００）。
【請求項７】
通信デバイス（１００、４３０、５２０、６１０、６２０、７２０、７３０、１３４０、１３５０）の前記タイプが、モバイルデバイスおよびコンピュータワークステーションのうちの少なくとも１つを含む、請求項６記載のシステム（１００、２００、３００、４００、５００、６００、７００、１３００、１４００）。
【請求項８】
前記内容が臨床サブシステム（７４０、１３１０、１３２０）に常駐する、請求項４記載のシステム（１００、２００、３００、４００、５００、６００、７００、１３００、１４００）。
【請求項９】
前記共同作業エンジン（４２０、７１０）が、前記１つまたは複数の命令（１２５、２１５、３１５、５１６、５１８、６２４、１０１２、１０１４、１０１６）の実行に続いて、共同作業者による前記内容との追加の対話をさらに容易にするためのものである、請求項４記載のシステム（１００、２００、３００、４００、５００、６００、７００、１３００、１４００）。
【請求項１０】
複数の共同作業者のいずれかが、前記共同作業セッション（３１０、４１０、５１０）内で前記入力を与えることができる、請求項４記載のシステム（１００、２００、３００、４００、５００、６００、７００、１３００、１４００）。
【発明の詳細な説明】
【技術分野】
【０００１】
本発明は、一般には診断画像の読取りおよび検討をコンピュータ化することに関する。より詳細には、本発明は、診断画像に関する情報の共同作業およびリアルタイム（実質的なリアルタイムを含む）共有に関する。
【背景技術】
【０００２】
多くの場合、病気または負傷を診断するために、医療用走査デバイス（例えば、コンピュータ断層撮影（ＣＴ）スキャナ、磁気共鳴画像装置（ＭＲＩ）、超音波機械など）を使用して、患者の身体のある部分の画像を取り込む。画像を取り込んだ後、訓練された医師（例えば、放射線専門医）が、作成された画像を（通常はコンピュータモニタ上で）検討し、知見の解釈を行い、適切な処置を処方する。この例は、現在の診断造影部門が、解釈を必要とする多数の２次元および３次元画像を通じて提示される人体および機能状態に関するより広範な情報を提供するのでより複雑になる。こうした画像の入念な解釈は、厳密なワークフローに従うことを必要とし、ワークフローの各ステップは、１つまたは複数の試験からのある種の画像シリーズをある順序で視覚的に提示すること、および画像の操作用のある種のツール（限定はしないが、画像スクローリング、輝度／コントラスト、直線および面積測定などを含む）を適用することを想定する。
【発明の概要】
【０００３】
本発明のいくつかの実施形態は、通信、共同作業、および共同作業に関連する自動コマンド実行のためのシステム、装置、および方法を提供する。
【０００４】
いくつかの例は、共同作業的通信での自動コマンド認識および実行のためのコンピュータ実装方法を提供する。方法は、電子共同作業セッション内で臨床的内容に関する通信入力を受諾することを含む。方法はまた、入力を自動的に分析して、入力に対応する１つまたは複数の命令を識別することをも含む。方法は、共同作業セッションに関連する内容に関して、識別した１つまたは複数の命令を自動的に実行することを含む。方法は、識別した１つまたは複数の命令の実行結果を、共同作業セッション内で少なくとも１人の共同作業者に提供することを含む。
【０００５】
いくつかの例は、実行時に、共同作業的通信での自動コマンド認識および実行のための方法を実施するようにプロセッサに命令する１組の命令を格納した有形コンピュータ可読記憶媒体を提供する。方法は、電子共同作業セッション内で臨床的内容に関する通信入力を受諾することを含む。方法はまた、入力を自動的に分析して、入力に対応する１つまたは複数の命令を識別することをも含む。方法は、共同作業セッションに関連する内容に関して、識別した１つまたは複数の命令を自動的に実行することを含む。方法は、識別した１つまたは複数の命令の実行結果を、共同作業セッション内で少なくとも１人の共同作業者に提供することを含む。
【０００６】
いくつかの例は、共同作業的通信での自動コマンド認識および実行を実施する共同作業システムを提供する。システムは、電子共同作業セッション内で臨床的内容に関する通信入力を受諾する通信インターフェースを含む。システムはまた、入力を自動的に分析して、入力に対応する１つまたは複数の命令を識別し、共同作業セッションに関連する内容に関して、識別した１つまたは複数の命令を自動的に実行する共同作業エンジンをも含む。共同作業エンジンは、識別した１つまたは複数の命令の実行結果を、共同作業セッション内で少なくとも１人の共同作業者に提供するためのものである。
【図面の簡単な説明】
【０００７】
【図１】画像分析または読取りを実施するために放射線専門医が使用する例示的マルチモニタ構成を示す図である。
【図２】都合がつく専門医との例示的協議選択を示す図である。
【図３】共同作業およびユーザ命令のための例示的システムを示す図である。
【図４】共同作業デバイスによる共同作業セッションからアクションへの例示的メッセージ変換を示す図である。
【図５】あるユーザがメッセージで要求したアクションの結果、共同作業に関係する別のユーザのデバイスで変化が生じる例示的共同作業システムを示す図である。
【図６】モバイルデバイスユーザが共同作業プロセスを開始する例示的共同作業システムを示す図である。
【図７】交換した通信の内容に関するコマンド（複数可）の実行を自動的に実施するための通信交換および通信内容処理を実現する例示的共同作業システムを示す図である。
【図８】自動コマンド認識および実行を含む共同作業的通信のための例示的方法についての流れ図である。
【図９】通信入力を処理して、実行する１つまたは複数のコマンドを識別する例示的方法についての流れ図である。
【図１０】アクションＵＲＬを生成するための例示的メッセージ構文解析および分析を示す図である。
【図１１】アクションＵＲＬを生成するための例示的メッセージ構文解析および分析を示す図である。
【図１２】アクションＵＲＬを生成するための例示的メッセージ構文解析および分析を示す図である。
【図１３】本明細書に記載のシステム、装置、および方法と共に使用される例示的臨床エンタープライズシステムを示す図である。
【図１４】本明細書に記載のシステム、装置、および方法を実装するのに使用することができる例示的プロセッサシステムのブロック図である。
【発明を実施するための形態】
【０００８】
添付の図面と共に読むときに、本発明のいくつかの実施形態の上記の概要ならびに以下の詳細な説明をより良く理解することができよう。本発明を示すために、いくつかの実施形態を図面に示す。しかし、本発明は添付の図面に示す構成および機器に限定されないことを理解されたい。
【０００９】
構成要素の中でもとりわけ、ハードウェア上で実行されるソフトウェアを含む例示的方法、システム、製造品、および装置を以下で開示するが、そのような方法および装置は例示的なものに過ぎず、限定とみなすべきではないことに留意されたい。例えば、こうしたハードウェア構成要素およびソフトウェア構成要素のいずれかまたはすべてを、もっぱらハードウェアで、もっぱらソフトウェアで、もっぱらファームウェアで、あるいはハードウェア、ソフトウェア、および／またはファームウェアの任意の組合せで実施できることが企図される。したがって、例示的方法、システム、製造品、および装置を以下で説明するが、与える例は、そのような方法、システム、製造品、および装置を実装するための唯一の方法ではない。
【００１０】
添付の特許請求の範囲のいずれかが、純粋にソフトウェアおよび／またはファームウェアの実装を包含するように理解されるとき、少なくとも１つの例における要素のうちの少なくとも１つが、ソフトウェアおよび／またはファームウェアを格納するメモリ、ＤＶＤ、ＣＤ、Ｂｌｕｅ−ｒａｙなどの有形媒体を含むように本明細書によって明確に定義される。
【００１１】
いくつかの例は、診断画像のコンピュータ化読取りを実施する助けとなる。いくつかの例は、視覚化および／またはマルチメディアオブジェクトに関するリアルタイム（例えばシステム、伝送、および／またはメモリアクセス遅延を反映する、実質的なリアルタイムを含む）情報の共同作業および共有のために使用される任意の臨床情報システムに関する。視覚化オブジェクトは、限定はしないが、例えば、画像、レポート、および結果（例えば、実験室、定量、および／または定性分析事後および／または事前読取り）を含むことができる。マルチメディアオブジェクトは、限定はしないが、例えば、共同作業者のうちの１人または複数からのオーディオおよび／またはビデオコメント、参照物質の画像、文書、オーディオ、および／またはビデオを含むことができる。
【００１２】
いくつかの例は、当該領域または患者の症例の周辺の医療専門家の間の、即座のその場限りの共同作業使用ケースに関する課題に対処する助けとなり、その共同作業使用ケースは、２人または多数の放射線専門医の間で協議して、放射線専門医の読取りワークフロー中に知見を確認し、かつ／または診断に集中すること、ならびに／あるいは患者の診断および／または治療を進めるための方法を定義することを含むことがある。例えば、脳卒中の症例では、高速かつ正確な応答を実現するために複数訓練医療チーム間の共同作業を実施することができる。いくつかの例は、いくつかの症例に関して放射線専門医との迅速な協議を実現することによってレジデントワークフローを改善する助けとなる。いくつかの例は、緊急および／または危篤の医療状況に対処するための複数訓練医療チームのワークフローを改善する助けとなる。いくつかの例は、各共同作業ユーザがユーザのそれぞれのデバイス上で利用可能なツールセット（複数可）（例えば、先進処理、測定、定義済みセットアップなど）を活用し、互いの表示に影響を及ぼすことなく並列読取りを実施することを可能にする。この証拠共有により、ユーザが共同作業することが可能となると共に、各ユーザが証拠を同時に操作する能力が最大となる。
【００１３】
いくつかの例は、２人の医師間の共同作業セッション中のエンドユーザ体験を単純化する助けとなる。現在の共同作業ツールは、メッセージの内容をリンクするハイパーリンクおよび他の機構を提供するための基本的手法を提供するが、本明細書に記載のいくつかの例示的システム、装置、および方法は、共同作業メッセージの内容を処理し、メッセージの一部を、検討下の現在の証拠に関連する１つまたは複数のアクションに変換するエンジンを提供する。例えば、送信側が、得るべき特定の測定、または実施すべき特定の自動分析をメッセージで言及した場合、メッセージがエンジンによって処理され、そうしたアクション（複数可）を実施し、要求の結果をユーザに提示するようにアプリケーションに自動的に要求する。次いで、ユーザは、例えば、結果に微調整を行うことができる。
【００１４】
いくつかの例は、デジタル放射線造影などのデジタル医療試験の診断読取りを実施する助けとなる。多くの場合、病気または負傷を診断するために、医療用走査デバイス（例えば、コンピュータ断層撮影（ＣＴ）スキャナ、磁気共鳴画像装置（ＭＲＩ）、超音波機械など）を使用して、患者の組織のある部分の画像を取り込む。画像を取り込んだ後、訓練された医師（例えば、放射線専門医）が、作成された画像を（通常はコンピュータモニタ上で）検討し、知見の解釈を行い、適切な処置を処方する。この例は、現在の診断造影部門が、解釈を必要とする多数の２次元および３次元画像を通じて提示される人間組織および機能状態に関するより広範な情報を提供する点でより複雑となる。こうした画像の入念な解釈は、厳密なワークフローに従うことを必要とし、ワークフローの各ステップは、１つまたは複数の試験からの一定の画像シリーズを一定の順序で視覚的に提示すること、および画像の操作用の一定のツール（限定はしないが、画像スクローリング、輝度／コントラスト、直線および面積測定などを含む）を適用することを想定する。
【００１５】
しばしば、同一の分野の専門医または同等の人からのセカンドオピニオンが必要とされ、かつ／または望まれ、その人が同一の画像を閲覧するために同一の作業場所に物理的に存在しないことがある。これを補償するために、読み取る放射線専門医が、共有セッションを起動して、症例の議論のために対象の同僚に接触しようとする。この共同作業を実施する放射線専門医は、画像を操作および閲覧するための自身の読取り空間を保持する一方、異なるビューを使用して他の人と知見について討議し、１組の自動化ツールを提供したいことがある。いくつかの例は、共同作業環境と１つまたは複数のツールおよびアプリケーションとの高度な統合を提供し、試験読取りを担当する第１の放射線専門医と、相談役の医師（複数可）との間のシームレスかつ容易な共同作業処理を可能にする。
【００１６】
例示的共同作業エンジンは、例えば、メッセージ内容に基づいて１つまたは複数のアプリケーションでアクションをトリガする助けになる。例えば、送信側が「画像番号６５に進み、下側のコーナにズーム２．０を適用して下さい」とタイプした場合、共同作業構成要素は、そのような要求（例えば、プリフェッチおよび提示設定）を実施し、ユーザがユーザの都合の良いときに結果にアクセスすることを可能にする。したがって、いくつかの例は、ユーザがフィードバックを交換することに集中することを可能にするように共同作業体験を高めると共に、アプリケーションが、送信側と受信側の間でテキスティング、メッセージング、および／またはグラフィカル挿入の形のユーザの入力を合理化する。
【００１７】
いくつかの例は、多方向の「パワーワード」モードを提供し、したがって任意のユーザ（例えば、試験を担当する１次放射線専門医、モバイルデバイスを有し、またはリモートワークステーションから試験にアクセスすることができる相談役の医師など）が、共同作業エンジンによって変換され、結果を表示する他のワークステーション（複数可）および／またはモバイルデバイス（複数可）に１組のアクションとして送られるメッセージをタイプし、命令することなどによって「パワーワード」プロセスを開始することができる。
【００１８】
メッセージ内のテキスト処理の自動化は、ユーザによる手動アクションの実施を削減または回避する助けとなり、例えば、Ｅメールまたはショートメッセージサービス（ＳＭＳ）を使用してデータを自動的に送信することによってデータを共有に拡張することができる。例えば、ある人が「私にＥメールを送るか、テキストを送ることはできますか？」と尋ねた場合、共同作業交換を自動的に準備することができる。自動化テキスト処理を使用して、ユーザは、例えば、ユーザがモバイルデバイス上で画像を閲覧および操作している場合に時間のかかることのある、画像に関する厳密な測定および／または他のアクションを実施することを回避することができる。例示的「パワーワード」モードは、ユーザが共同作業に集中することを可能にする助けとなると共に、各デバイスは、ユーザメッセージ入力に基づいて自動的に要求を遂行または準備することができる。
【００１９】
図１は、画像分析または読取りを実施するために放射線専門医が使用する例示的マルチモニタ構成１００を示す。画像読取りシステム１００を使用して、放射線専門医は、ワークリスト１１０から、検討したい調査対象１２０を選択する。放射線専門医は分析を実施し、例えば、１つまたは複数の測定値を調査対象１２０内の１つまたは複数の画像に追加する。例えば、放射線専門医は、より大きく表示し、検討するために、調査対象１２０から画像１３０を選択する（１２５）。
【００２０】
図２の例に示すように、放射線専門医は協議アプリケーション２１０を開き、選択した調査対象画像（複数可）２２０に関する協議のために都合がつくモバイルデバイスユーザのリストから専門医２１５を選択する。システム２００は、例えば、ユーザが共同作業のために１人または複数のユーザを分類し、選択することを可能にする。
【００２１】
図３の例に示すように、ユーザは、共同作業セッション３１０を介して１つまたは複数の命令３１５を与えることができる。例えば、放射線専門医は、選択した調査対象（例えば、調査対象内の１つまたは複数の画像）に対して実施すべき特定の測定および／または特定の自動分析をタイプすることができる。例示的システム３００に示すように、放射線専門医は、「画像番号３４に進んで下さい。ズーム２．０を適用して下さい」と入力する。
【００２２】
図４の例に示すように、共同作業エンジン４２０は、共同作業メッセージングウィンドウ４１０からのユーザメッセージ４１５を変換する。エンジン４２０は、メッセージ４１５を、実施すべき１つまたは複数のアクションに変換する。例えば、例示的システム４００では、他の共同作業中のユーザのモバイルデバイス４３０（例えば、Ａｐｐｌｅ  ｉＰｈｏｎｅ（商標）、Ａｐｐｌｅ  ｉＰａｄ（商標）、ＢｌａｃｋＢｅｒｒｙ（商標）スマートフォン、および／または他のスマートフォン、タブレット、ラップトップなど）でアクション（複数可）を実施することができる。この状況の背後で、例えば、共同作業エンジン４２０は、メッセージ４１５の内容を処理し、メッセージを、検討下の現証拠に関する１つまたは複数のアクションに変換する。
【００２３】
図５は、あるユーザがメッセージで要求したアクションの結果、共同作業に関係する別のユーザのデバイスで変化が生じる例示的共同作業システム５００を示す。例えば、共同作業セッション５１０内でユーザによって与えられるメッセージ５１５は、第１命令５１６および第２命令５１８を含む。図５に示す例では、第１命令５１６は、画像番号３４の移動および／または検索を要求する。例５００の第２命令５１８は、２倍（２．０）のズームを要求する。図５の例で示されるように、共同作業中のユーザのモバイルデバイス５２０では、画像３４がズーム因子５２４  ２．０で表示される（５２２）。例えば、モバイルデバイス５２０のアプリケーションが、共同作業エンジンが生成したアクション５１６、５１８のセットを実施し、改善の結果５２２、５２４を、ユーザが閲覧および調整するために提示する。
【００２４】
図６は、モバイルデバイスユーザが共同作業プロセスを開始する例示的共同作業システム６００を示す。例えば、共同作業プロセスを双方向に開始および／または実施することができ、モバイルおよび／またはデスクトップユーザが共同作業交換およびメッセージベースのコマンドを開始および／または続行する。例えば、モバイルデバイス６１０のユーザは、共同作業エンジンによって変換すべきメッセージ６１５を共同作業セッション内でタイプすることによってパワーワードプロセスを開始することができる。変換後メッセージが、共同作業に参加しているワークステーション６２０に一連のアクションとして送信される。結果が、ワークステーションディスプレイ（複数可）６２０上で共同作業中のユーザに提示される。
【００２５】
例えば、モバイルデバイス６１０のユーザは、メッセージ６１５で「フレーム２４に進んで下さい。４５度回転して下さい。」と指定することができる。共同作業エンジンは、メッセージを、フレーム２４の画像６２２を４５度回転させて（６２４）表示するようにワークステーション６２０に指令する一連のコマンド／命令に変換する。例えば、タッチスクリーン上のジェスチャで、システム６００は、アクションを、他の接続され、共同作業中のユーザ（複数可）に対するメッセージに変換することができる。
【００２６】
図７は、交換した通信の内容に関するコマンド（複数可）の実行を自動的に実施するための通信交換および通信内容処理を実現する例示的共同作業システム７００を示す。例示的システム７００は、共同作業エンジン７１０、第１アクセスデバイス７２０、第２アクセスデバイス７３０、および臨床サブシステム７４０を含む。例えば、システム７００の構成要素は、ハードウェア、ソフトウェア、およびファームウェアのうちの１つまたは複数を使用して、単独で、および／または組み合わせて実装することができる。システム７００の各構成要素は、データを送信および／または受信し、命令および関連するデータを処理することなどを行うプロセッサおよびメモリを含む。例えば、第１および第２アクセスデバイス７２０、７３０は、ハンドヘルド／モバイルデバイス（例えば、タブレット、スマートフォン、携帯情報端末など）および／またはラップトップ／デスクトップコンピュータデバイスとして実装することができる。臨床サブシステム７４０は、データソース、保健医療情報システム（放射線医学情報システム（ＲＩＳ）、画像保存および通信システム（ＰＡＣＳ）、心血管情報システム（ＣＶＩＳ）、病院情報システム（ＨＩＳ）、研究機関情報（ＬＩＳ）、電子医療記録（ＥＭＲ）、電子健康記録（ＥＨＲ）、個人健康記録（ＰＨＲ）など）、画像／データアーカイブ、造影モダリティ（例えば、Ｘ線、超音波、磁気共鳴画像装置など）のうちの１つまたは複数を含むことができる。例えば、共同作業エンジン７１０は、別々に実装することができ、かつ／または第１アクセスデバイス７２０、第２アクセスデバイス７３０、および／または臨床サブシステム７４０のうちの１つまたは複数の構成要素として実装することができる。
【００２７】
共同作業エンジン７１０を使用して、第１アクセスデバイス７２０は、第２アクセスデバイス７３０と通信および／または他の共同作業セッションを開始することができる。第１および第２アクセスデバイス７２０、７３０間のセッション内で情報を搬送することに加えて、例えば、通信の内容（例えば、ワード、画像／アイコン、オーディオおよび／またはビデオクリップなど）を共同作業エンジン７１０で認識して、第１アクセスデバイス７２０、第２アクセスデバイス７３０、および臨床サブシステム７４０のうちの１つまたは複数でアクションをトリガすることができる。
【００２８】
例えば、共同作業エンジン７１０は、第１および第２アクセスデバイス７２０、７３０間でメッセージの内容をリンクし、アプリケーションインターフェースおよび／またはイベントをリンクし、メッセージ内容に基づいてアプリケーションコンポーネントの実行を自動化することができる。一例として、メッセージ内容からのアプリケーションイベントにリンクされるメッセージの内容を強調表示することができる。一例として、１人または複数のエンドユーザが共同作業セッションにアクセスする前に、キューメッセージ（複数可）に基づいて共同作業エンジン７１０によってアクション（複数可）をプリフェッチし、かつ／または他の方法でトリガすることができる。一例として、メッセージ内容を強調表示し、メッセージ内容からのアプリケーションイベント、およびホストアプリケーションと統合されるサードパーティアプリケーション（複数可）にリンクすることができる。例えば、外部アプリケーションが共同作業アプリケーションとインターフェースする場合、内容処理エンジンが、共同作業機能を使用するとき、サードパーティアプリケーションの機能の実行の自動化を可能にすることができる。
【００２９】
いくつかの例は、送信側の初期照会に基づく共同作業セッションの準備および提示のためのプリフェッチを可能にする助けとなる。いくつかの例は、共同作業セッションが、手順および／または順序セットのタイプにリンクされた初期共同作業照会から１組の推奨アクションを提案することを可能にする助けとなる。
【００３０】
一例として、共同作業アプリケーションは、オーディオメッセージを処理して、アプリケーションインターフェースおよび／またはイベントをリンクし、メッセージ内容に基づいてアプリケーションコンポーネントの実行を自動化することができる。一例として、ユーザアクションをショートメッセージサービス（ＳＭＳ）メッセージに変換することができ、ＳＭＳは送信前に編集することができる。一例として、パワーワード機能が、Ｅメール、電話、ＳＭＳ、カレンダ、および／または他のアプリケーションなどのサードパーティアプリケーションに拡張される。
【００３１】
図８〜９は、例えば、解剖画像および関連する臨床証拠の検討を実施するのに使用することができるコンピュータ可読命令を使用して実装することができるプロセスを表す例示的流れ図を示す。図８〜９の例示的プロセスは、プロセッサ、コントローラ、および／または任意の他の適切な処理デバイスを使用して実施することができる。例えば、図８〜９の例示的プロセスは、フラッシュメモリ、読取り専用メモリ（ＲＯＭ）、および／またはランダムアクセスメモリ（ＲＡＭ）などの有形コンピュータ可読媒体上に格納された符号化命令（例えば、コンピュータ可読命令）を使用して実装することができる。本明細書では、有形コンピュータ可読媒体という用語を、任意のタイプのコンピュータ可読ストレージを含み、伝播信号を除外するように明確に定義する。追加または代替として、図８〜９の例示的プロセスは、フラッシュメモリ、読取り専用メモリ（ＲＯＭ）、ランダムアクセスメモリ（ＲＡＭ）、ＣＤ、ＤＶＤ、Ｂｌｕｅ−ｒａｙ、キャッシュ、または任意の持続時間（例えば、拡張された時間枠、永続的に、短い瞬間、情報の一時的バッファリング、および／またはキャッシング）にわたって情報が格納される任意の他の記憶媒体などの非一時的コンピュータ可読媒体上に格納された符号化命令（例えばコンピュータ可読命令）を使用して実装することができる。本明細書では、非一時的コンピュータ可読媒体という用語を、任意のタイプのコンピュータ可読媒体を含み、伝播信号を除外するように明確に定義する。
【００３２】
あるいは、図８〜９の例示的プロセスの一部またはすべてを、特定用途向け集積回路（複数可）（ＡＳＩＣ（複数可））、プログラマブル論理デバイス（複数可）（ＰＬＤ（複数可））、フィールドプログラマブル論理デバイス（複数可）（ＦＰＬＤ（複数可））、ディスクリートロジック、ハードウェア、ファームウェアなどの任意の組合せ（複数可）を使用して実装することができる。さらに、図８〜９の例示的プロセスの一部またはすべてを、手動で実装することができ、または上記の技法のいずれかの任意の組合せ（複数可）、例えば、ファームウェア、ソフトウェア、ディスクリートロジック、および／またはハードウェアの任意の組合せとして実装することができる。さらに、図８〜９の流れ図を参照しながら図８〜９の例示的プロセスを説明するが、図８〜９のプロセスを実装する他の方法を使用することができる。例えば、ブロックの実行順序を変更することができ、かつ／または記載のブロックの一部を変更、除去、再分割、もしくは結合することができる。さらに、図８〜９の例示的プロセスのいずれかまたはすべてを、例えば、別々の処理スレッド、プロセッサ、デバイス、ディスクリートロジック、回路などによって順次および／または並列に実施することができる。
【００３３】
図８は、自動コマンド認識および実行を含む共同作業的通信のための例示的方法８００についての流れ図である。ブロック８１０で、２人以上の参加者間で共同作業および／または他の通信セッションを開始する。例えば、ＰＡＣＳワークステーションの第１ユーザが、スマートフォンを有する第２ユーザと電子メッセージングセッションを開始することができる。通信セッションは、テキストベースのメッセージングセッション、オーディオチャットセッション、ビデオ会議などでよい。例えば、第１および／または第２ユーザは、内容、音声、ジェスチャ、画像などに対するテキスト、ハイパーリンク、および／または他の参照を通信の一部として与えることができる。ある例では、ユーザ識別、コンテキスト、アクセスデバイスなどに基づいて、通信セッションのために情報、機能などをプリフェッチすることができる。
【００３４】
例えば、放射線専門医が画像を読み取り、注釈を付けており、画像に関してレポートする前に専門医と協議することを望む。放射線専門医は、協議アプリケーションを立ち上げ、モバイルデバイス、ワークステーションなどを介して専門医（複数可）を選択し、専門医と接続する。ある例では、共同作業ユーザは、ユーザプロファイル（複数可）に関連する複数のデバイスを有することがある。例えば、通信セッションは、そのときにどの関連デバイスがユーザによって使用されており、かつ／またはユーザ届く可能性が最も高いかを判定することができ、かつ／または通信を開始するユーザが通信経路を手動選択することができる。ある例では、通信セッションは、症例のタイプに基づいて共同作業に最良に合致するユーザを提案し、かつ／または判定することができる。
【００３５】
ブロック８２０で、共同作業セッション内でユーザによって通信が与えられる。例えば、通信は、共同作業セッション内の通信の一部としてユーザによって入力された、タイプしたワードまたは語句、口頭のワードまたは語句、ジェスチャ、画像、アイコンなどでよい。
【００３６】
ブロック８３０で、通信を自動的に処理して、通信中の１つまたは複数のコマンドを識別する。例えば、共同作業エンジンは、入力された語句を検討し、語句を１つまたは複数のコマンドとして認識する（例えば、文書を開く、指定の画像に進む、指定の画像に指定の機能／操作を適用するなど）。
【００３７】
ブロック８４０で、１つまたは複数の識別したコマンドを実行する。例えば、自分のワークステーションから通信する放射線専門医によって指示される通りに、専門医が自分のスマートフォン上で閲覧している画像に対して画像オープンおよび操作コマンドを実行することができる。共同作業中のユーザのアクセスデバイスのうちの１つまたは複数、外部臨床システムなどでコマンドを実行することができる。
【００３８】
ブロック８５０で、実行したコマンド（複数可）の結果（複数可）を共同作業中のユーザに表示する。例えば、放射線専門医と専門医との間の共同作業セッション内で、１つまたは複数のコマンドで命令される画像操作を表示する。
【００３９】
ブロック８６０で、共同作業セッション内で別のアクションを実施する。例えば、専門医は、放射線専門医からのコマンド（複数可）に従って操作された画像の別の検討および操作をトリガすることができる。
【００４０】
本明細書で説明するように、例えば、方法８００は、コンピュータワークステーション、ラップトップ、ハンドヘルド、スマートフォン、および／または他のモバイルデバイスをハードウェア、ソフトウェア、および／またはファームウェアの１つまたは複数の組合せで使用して実装することができる。例えば、方法８００は、モバイルデバイスおよび／またはワークステーションと共に、１つまたは複数の外部システム（例えば、データソース、保健医療情報システム（ＲＩＳ、ＰＡＣＳ、ＣＶＩＳ、ＨＩＳなど）、アーカイブ、造影モダリティなどと一緒に動作することができる。例えば、方法８００の１つまたは複数の構成要素を、特定の実装に基づいてリオーダー、除去、および／または反復することができる。
【００４１】
図９は、通信入力を処理して、実行する１つまたは複数のコマンドを識別する例示的方法９００についての流れ図を示す。ブロック９１０で、メッセージを受信する。ブロック９２０で、文法変換器９２５を使用して、受信したメッセージをコンパイルする。ブロック９３０で、正規表現辞書９３５を使用して、コンパイルしたメッセージに対して構文解析を実施する。例えば、着信メッセージを構文解析し、予想される正規表現にマッピングする。ある例では、１つまたは多数の正規表現がアプリケーションアクションにリンクすることができる。
【００４２】
ブロック９４０で、予想される正規表現が対応するアプリケーションアクションを生成する。例えば、対応するアクションに関するユニフォームリソースロケータ（ＵＲＬ）を生成する。例えば、ＲＦＣインターネットプロトコル標準に基づいてＵＲＬを生成し、アプリケーションインターフェースにマッピングすることができる。例えば、ＲＦＣ準拠ＵＲＬは、拡張性およびバージョニング管理を可能にする助けとなることができる。さらに、ブロック９５０で、検出した正規表現についてマッチ確率を計算する。例えば、構文解析した着信メッセージ（例えば、ＳＭＳ、Ｅメール、組込み共有セッションインスタントメッセージなど）を評価して、正規表現検出についてマッチ確率を計算する。
【００４３】
ブロック９６０で、ＵＲＬを実行する。９７０で、コンパイルしたメッセージから構築したアプリケーションアクションＵＲＬのアプリケーション互換性を、例えば互換正規表現辞書９７５に基づいて評価する。
【００４４】
図１０〜１２は、上述の方法９００などを使用する、アクションＵＲＬを生成するための例示的メッセージ構文解析および分析を示す。例示的図１０に示すように、メッセージ１０１０を構文解析して、複数の命令セグメント１０１２、１０１４、１０１６を識別する。文法変換器１０２０は、命令セグメント１０１２、１０１４、１０１６を、それぞれ要素１０２２、１０２４、１０２６にマッピングする。
【００４５】
図１１の例に示すように、文法変換器１０２０は、正規表現要素１０２２、１０２４、１０２６を構文解析器１１３０に供給する。構文解析器１１３０は、各表現１０２２、１０２４、１０２６についてマッチの確率１１３２、１１３４、１１３６を計算する。図１２の例に示すように、構文解析１１３０に基づいてＵＲＬマッチング１２４０を実施し、表現および確率１２４２、１２４４、１２４６に基づいて１つまたは複数のアプリケーションアクションに関連するＵＲＬ１１４８を生成する。
【００４６】
上述のシステムおよび方法を、図１３に示す例示的臨床エンタープライズシステム１３００などの臨床エンタープライズシステム内に含めることができる。システム１３００は、データソース１３１０、外部システム１３２０、ネットワーク１３３０、第１ユーザインターフェース１３４５を備える第１アクセスデバイス１３４０、および第２ユーザインターフェース１３５５を備える第２アクセスデバイス１３５０を含む。ある例では、データソース１３１０および外部システム１３２０を単一のシステムで実装することができる。ある例では、複数のデータソース１３１０および／または外部システム１３２０が、ネットワーク１３３０を介して通信することができる。データソース１３１０および外部システム１３２０は、ネットワーク１３３０を介してアクセスデバイス１３４０、１３５０のうちの１つまたは複数と通信することができる。アクセスデバイス１３４０、１３５０のうちの１つまたは複数は、ネットワーク１３３０を介してデータソース１３１０および／または外部システム１３２０と通信することができる。ある例では、アクセスデバイス１３４０、１３５０は、通信インターフェース（例えば、有線またはワイヤレス通信コネクタ／接続（例えば、カード、ボード、ケーブル、ワイヤ、および／またはイーサネット（商標）、ＩＥＥＥ１３９４、ＵＳＢ、シリアルポート、パラレルポートなどの他のアダプタ））を使用してネットワーク１３３０を介して互いに通信することができる。ネットワーク１３３０は、例えば、インターネット、イントラネット、プライベートネットワーク、有線またはワイヤレスローカルエリアネットワーク、有線またはワイヤレス広域ネットワーク、セルラーネットワーク、および／または任意の他の適切なネットワークによって実装することができる。
【００４７】
データソース１３１０および／または外部システム１３２０は、画像、レポート、ガイドライン、最良の医学診療（ｂｅｓｔ  ｐｒａｃｔｉｃｅｓ）、および／または他のデータを、検討、オプション評価、および／または他のアプリケーションのためにアクセスデバイス１３４０、１３５０に供給することができる。ある例では、データソース１３１０は、セッションまたは会議に関連する情報ならびに／あるいは他の情報をアクセスデバイス１３４０、１３５０から受信することができる。ある例では、外部システム１３２０は、セッションまたは会議に関連する情報ならびに／あるいは他の情報をアクセスデバイス１３４０、１３５０から受信することができる。データソース１３１０および／または外部システム１３２０は、ＰＡＣＳ、ＲＩＳ、ＨＩＳ、ＣＶＩＳ、ＥＭＲ、アーカイブ、データウェアハウス、造影モダリティ（例えば、Ｘ線、ＣＴ、ＭＲ、超音波、核造影など）、支払人システム、プロバイダスケジューリングシステム、ガイドラインソース、病院コストデータシステム、および／または他の保健医療システムなどのシステムを使用して実装することができる。
【００４８】
例えば、アクセスデバイス１３４０、１３５０は、ワークステーション（ラップトップ、デスクトップ、タブレットコンピュータなど）またはモバイルデバイスを使用して実装することができる。例えば、あるモバイルデバイスには、スマートフォン（例えば、ＢｌａｃｋＢｅｒｒｙ（商標）、ｉＰｈｏｎｅ（商標）など）、モバイルインターネットデバイス（ＭＩＤ）、携帯情報端末、携帯電話、ハンドヘルドコンピュータ、タブレットコンピュータ（ｉＰａｄ（商標））などが含まれる。ある例では、セキュリティ規格、仮想プライベートネットワークアクセス、暗号化などを使用して、ネットワーク１３３０を介するアクセスデバイス１３４０、１３５０、データソース１３１０、および／または外部システム１３２０の間のセキュア接続を維持することができる。
【００４９】
データソース１３１０は、画像および／または他のデータをアクセスデバイス１３４０、１３５０に供給することできる。例えば、アクセスデバイス１３４０、１３５０によって要求されたとき、データセット中の部分、副部分、および／または個々の画像をアクセスデバイス１３４０、１３５０に供給することができる。ある例では、データセット中の部分、副部分、および／または個々の画像を表すグラフィカル表現（例えば、サムネイルおよび／またはアイコン）が、ユーザが基礎をなす画像データを検討するために要求するまで、基礎をなす画像データの代わりにユーザに表示するために、データソース１３１０からアクセスデバイス１３４０、１３５０に供給される。ある例では、データソース１３１０は、アクセスデバイス１３４０、１３５０との間で結果、レポート、および／または他の情報を供給および／または受信することもできる。
【００５０】
例えば、外部システム１３２０は、アクセスデバイス１３４０、１３５０との間で結果、レポート、他の情報を供給／受信することができる。ある例では、外部システム１３２０は、画像および／または他のデータをアクセスデバイス１３４０、１３５０に供給することもできる。例えば、アクセスデバイス１３４０、１３５０によって要求されたとき、データセット中の部分、副部分、および／または個々の画像をアクセスデバイス１３４０、１３５０に供給することができる。ある例では、データセット中の部分、副部分、および／または個々の画像を表すグラフィカル表現（例えば、サムネイルおよび／またはアイコン）が、ユーザが基礎をなす画像データを検討するために要求するまで、基礎をなす画像データの代わりにユーザに表示するために、外部システム１３２０からアクセスデバイス１３４０、１３５０に供給される。
【００５１】
データソース１３１０および／または外部システム１３２０は、ＰＡＣＳ、ＲＩＳ、ＨＩＳ、ＣＶＩＳ、ＥＭＲ、アーカイブ、データウェアハウス、造影モダリティ（例えば、Ｘ線、ＣＴ、ＭＲ、超音波、核造影など）などのシステムを使用して実装することができる。
【００５２】
ある例では、アクセスデバイス１３４０、１３５０は、スマートフォン（例えば、ＢｌａｃｋＢｅｒｒｙ（商標）、ｉＰｈｏｎｅ（商標）、ｉＰａｄ（商標）など）、モバイルインターネットデバイス（ＭＩＤ）、携帯情報端末、携帯電話、ハンドヘルドコンピュータなどを使用して実装することができる。アクセスデバイス１３４０、１３５０は、アクセスデバイス１３４０、１３５０、データソース１３１０、および／または外部システム１３３０でデータを取り出し、機能を実行し、データを格納するプロセッサを含む。プロセッサは、グラフィカルユーザインターフェース（ＧＵＩ）１３４５、１３５５を駆動して、ユーザに情報および機能を供給し、ユーザ入力を受信して、デバイス１３４０、１３５０を制御し、情報を編集することなどを行う。例えば、ＧＵＩ１３４５、１３５５は、アクセスデバイス１３４０、１３５０に統合され、かつ／または取り付けられるタッチパッド／画面を含むことができる。デバイス１３４０、１３５０は、データおよびツールを含む１つまたは複数の内部メモリおよび／または他のデータストアを含む。データストレージは、様々な内部および／または外部メモリ、ディスク、アクセスデバイス１３４０、１３５０と通信するＢｌｕｅｔｏｏｔｈ（商標）リモートストレージなどのいずれかを含むことができる。例えば、ＧＵＩ１３４５、１３５５を介して受信したユーザ入力、ならびにデータおよび／またはツールからの情報および／または機能を使用して、プロセッサは、大きなデータセットからの画像にナビゲートおよびアクセスし、アクセスデバイス１３４０、１３５０で活動に関する１つまたは複数のレポートを生成することができる。ジェスチャベースのナビゲーション／操作の代替または追加として、加速度計、位置エンコーダ（例えば、絶対値、増分、光学式、アナログ、デジタルなど）、全地球測位センサ、および／または他のセンサなどの検出器を使用して、アクセスデバイス１３４０、１３５０の運動（例えば、振動、回転、ねじり、左／右回り、前方／後方運動など）を検出することができる。検出した運動を使用して、アクセスデバイス１３４０、１３５０での操作および／または結果に影響を与えることができる。例えば、アクセスデバイス１３４０、１３５０のプロセッサは、通信インターフェース構成要素を含み、かつ／またはそれと通信して、リモートデバイスとの間でデータを照会し、取り出し、かつ／または送信することができる。
【００５３】
アクセスデバイス１３４０、１３５０は、通信構成要素用の記述または識別子（限定はしないが、ネットワークデバイスＭＡＣアドレス、電話番号、ＧＳＭ（商標）電話シリアル番号、国際モバイル機器識別情報、および／または他のデバイス識別機能を含む）を義務付ける標準およびプロトコルに従うように構成することができる。こうした識別子は、デバイス認証のためのセキュリティ要件を果たすことができる。識別子が、限定はしないが、個人識別番号、キーワード、署名の描画／記入（限定はしないが、文字描画、シンボルの描画、パターンの描画、ジェスチャの実施などを含む）などの入力デバイスを活用するフロントエンドユーザインターフェース構成要素と組み合わせて使用され、迅速で、自然な、かつ直感的な認証方法が提供される。モバイルデバイスユーザインターフェース上のアニメーション効果の表示を通じて、認証の成功／失敗に関してフィードバックをユーザに提供することができる。例えば、デバイスは、ユーザ認証が失敗したとき、画面の振動を生成することができる。セキュリティ標準、仮想プライベートネットワークアクセス、暗号化などを使用して、セキュア接続を維持することができる。
【００５４】
例えば、エンドユーザが、セキュアアプリケーション（限定はしないが、ある程度のセキュリティを必要とする臨床アプリケーションを含む）を立ち上げる。アプリケーションは、デバイスの固有識別機能を読み取り、サーバまたはデータ提供システムとの認証「ハンドシェーク」を実施する。このプロセスは、ユーザ入力または対話を必要とすることなく自動化される。デバイスが認証された後、ユーザが実際に有効なユーザであることをアプリケーションに対して特定するために、アプリケーション／ユーザレベル認証画面（限定はしないが、個人識別番号（ＰＩＮ）、パスワード／パスコード、ジェスチャなどを含む）をユーザに提示する。この機能は、例えば、デバイスレベルセキュリティならびに（例えば、ユーザがデバイスを一時的にロックしたいが、アプリケーションをログアウト／シャットダウンしたくない場合に）デバイスをロックする能力を提供する方法として機能する。
【００５５】
図１４は、本明細書に記載のシステム、装置、および方法を実装するのに使用することのできる例示的プロセッサシステム１４００のブロック図である。図１４に示すように、プロセッサシステム１４００は、相互接続バス１４０４に結合されるプロセッサ１４０２を含む。プロセッサ１４０２は、任意の適切なプロセッサ、処理装置、またはマイクロプロセッサでよい。図１４には図示していないが、システム１４００はマルチプロセッサシステムでよく、したがって、プロセッサ１４０２と同一または同様であり、相互接続バス１４０４に通信可能に結合される１つまたは複数の追加のプロセッサを含むことができる。
【００５６】
図１４のプロセッサ１４０２はチップセット１４０６に結合され、チップセット１４０６は、メモリコントローラ１４０８および入出力（Ｉ／Ｏ）コントローラ１４１０を含む。周知のように、チップセットは通常、Ｉ／Ｏ機能およびメモリ管理機能、ならびにチップセット１４０６に結合された１つまたは複数のプロセッサによってアクセス可能であり、または使用される複数の汎用および／または専用レジスタ、タイマなどを提供する。メモリコントローラ１４０８は、プロセッサ１４０２（または、複数のプロセッサがある場合、各プロセッサ）がシステムメモリ１４１２および大容量記憶メモリ１４１４にアクセスすることを可能にする機能を実施する。
【００５７】
システムメモリ１４１２は、例えば、静的ランダムアクセスメモリ（ＳＲＡＭ）、ダイナミックランダムアクセスメモリ（ＤＲＡＭ）、フラッシュメモリ、読取り専用メモリ（ＲＯＭ）などの任意の所望のタイプの揮発性および／または不揮発性メモリを含むことができる。大容量記憶メモリ１４１４は、ハードディスクドライブ、光学式ドライブ、テープ記憶デバイスなどを含む任意の所望のタイプの大容量記憶デバイスを含むことができる。
【００５８】
Ｉ／Ｏコントローラ１４１０は、プロセッサ１４０２がＩ／Ｏバス１４２２を介して周辺入出力（Ｉ／Ｏ）デバイス１４１６および１４１８ならびにネットワークインターフェース１４２０と通信することを可能にする機能を実施する。Ｉ／Ｏデバイス１４１６および１４１８は、例えば、キーボード、ビデオディスプレイ、モニタ、マウスなどの任意の所望のタイプのＩ／Ｏデバイスでよい。ネットワークインターフェース１４２０は、プロセッサシステム１４００が別のプロセッサシステムと通信することを可能にする、例えばイーサネット（商標）デバイス、非同期転送モード（ＡＴＭ）デバイス、８０２．１１デバイス、ＤＳＬモデム、ケーブルモデム、セルラーモデムなどでよい。
【００５９】
図１４ではメモリコントローラ１４０８およびＩ／Ｏコントローラ１４１０をチップセット１４０６内の別々のブロックとして示すが、これらのブロックで実施される機能を単一の半導体回路内に統合することができ、または２つ以上の別々の集積回路を使用して実装することができる。
【００６０】
したがって、いくつかの例は、様々な通信プラットフォーム（例えば、ワークステーション、ハンドヘルドなど）を介する２人以上のユーザ間の対話式通信および共同作業のためのシステム、装置、および方法を提供する。いくつかの例は、共同作業者によってセッション内の通信に挿入されたワード、語句、アイコンなどを自動的に識別し、識別した内容に基づいて、対応するアクションをトリガする。いくつかの例は、リモート共同作業セッション内のすべてのユーザの便宜のために、アプリケーション、内容、機能などにアクセスするための手動ステップを軽減する助けとなる。
【００６１】
いくつかの実施形態は、上述の機能を実装するために方法、システム、および任意の機械可読媒体上のコンピュータプログラム製品を企図する。例えば、いくつかの実施形態は、既存のコンピュータプロセッサを使用して、またはこの目的または別の目的で組み込まれる専用コンピュータプロセッサによって、またはハードワイヤードおよび／またはファームウェアシステムによって実装することができる。
【００６２】
例えば、上述のシステムの構成要素および／または方法のステップのうちの１つまたは複数は、単独で、あるいはハードウェア、ファームウェア、および／またはソフトウェア内の１組の命令の組合せで実装することができる。いくつかの実施形態は、汎用コンピュータまたは他の処理デバイス上で実行するためにメモリ、ハードディスク、ＤＶＤ、ＣＤなどのコンピュータ可読媒体上に常駐する１組の命令として提供することができる。本発明のいくつかの実施形態は、方法ステップの１つまたは複数を省略することがあり、かつ／または列挙した順序とは異なる順序でステップを実施することがある。例えば、本発明のいくつかの実施形態ではいくつかのステップを実施しないことがある。別の例として、上記で列挙したのとは異なる、同時を含む時間的順序でいくつかのステップを実施することがある。
【００６３】
いくつかの実施形態は、コンピュータ実行可能命令またはデータ構造を担持し、または格納したコンピュータ可読媒体を含む。そのようなコンピュータ可読媒体は、汎用もしくは専用コンピュータまたはプロセッサを備える他のマシンでアクセスすることのできる任意の入手可能な媒体でよい。例えば、そのようなコンピュータ可読媒体は、ＲＡＭ、ＲＯＭ、ＰＲＯＭ、ＥＰＲＯＭ、ＥＥＰＲＯＭ、フラッシュ、ＣＤ−ＲＯＭ、または他の光ディスクストレージ、磁気ディスクストレージまたは他の磁気記憶デバイス、あるいはコンピュータ実行可能命令またはデータ構造の形態の所望のプログラムコードを担持または格納するのに使用することができ、汎用もしくは専用コンピュータまたはプロセッサを備える他のマシンでアクセスすることができる任意の他の媒体を含むことができる。上記の組合せもコンピュータ可読媒体の範囲内に含まれる。コンピュータ実行可能命令は、例えば、汎用コンピュータ、専用コンピュータ、または専用処理マシンにいくつかの機能または機能のグループを実施させる命令およびデータを含む。
【００６４】
一般に、コンピュータ実行可能命令は、特定のタスクを実施し、特定の抽象データタイプを実装するルーチン、プログラム、オブジェクト、コンポーネント、データ構造などを含む。コンピュータ実行可能命令、関連するデータ構造、およびプログラムモジュールは、本明細書で開示するいくつかの方法およびシステムのステップを実行するプログラムコードの例を表す。そのような実行可能命令または関連するデータ構造の特定のシーケンスは、そのようなステップで記述される機能を実施する対応する動作の例を表す。
【００６５】
本発明の実施形態は、プロセッサを有する１つまたは複数のリモートコンピュータへの論理接続を使用して、ネットワーク化環境で実施することができる。論理接続は、ローカルエリアネットワーク（ＬＡＮ）、広域ネットワーク（ＷＡＮ）、ワイヤレスネットワーク、携帯電話網などを含むことができ、これらを限定ではなく例としてここで提示する。そのようなネットワーキング環境は、オフィス全体または企業全体のコンピュータネットワーク、イントラネット、およびインターネットでは一般的なものであり、多種多様な異なる通信プロトコルを使用することができる。そのようなネットワークコンピューティング環境は通常、パーソナルコンピュータ、ハンドヘルドデバイス、マルチプロセッサシステム、マイクロプロセッサベースの、もしくはプログラム可能なコンシューマエレクトロニクス、ネットワークＰＣ、ミニコンピュータ、メインフレームコンピュータなどを含む多くのタイプのコンピュータシステム構成を包含することを当業者は理解されよう。本発明の実施形態は、通信ネットワークを通じて（ハードワイヤードリンク、ワイヤレスリンク、あるいはハードワイヤードまたはワイヤレスリンクの組合せによって）リンクされるローカルおよびリモート処理デバイスでタスクが実施される分散コンピューティング環境でも実施することができる。分散コンピューティング環境では、プログラムモジュールは、ローカルメモリ記憶デバイスとリモートメモリ記憶デバイスのどちらにも位置することができる。
【００６６】
本発明の実施形態の全システムまたは部分を実装する例示的システムは、処理装置と、システムメモリと、システムメモリを含む様々なシステム構成要素を処理装置に結合するシステムバスとを含むコンピュータの形態の汎用コンピューティングデバイスを含むことがある。システムメモリは、読取り専用メモリ（ＲＯＭ）およびランダムアクセスメモリ（ＲＡＭ）を含むことができる。コンピュータはまた、磁気ハードディスクを読み書きする磁気ハードディスクドライブ、取外し可能磁気ディスクを読み書きする磁気ディスクドライブ、およびＣＤ−ＲＯＭや他の光媒体などの取外し可能光ディスクを読み書きする光ディスクドライブをも含むことができる。ドライブおよびその関連するコンピュータ可読媒体は、コンピュータのためのコンピュータ実行可能命令、データ構造、プログラムモジュール、および他のデータの不揮発性ストレージを提供する。
【００６７】
いくつかの実施形態を参照しながら本発明を説明したが、本発明の範囲から逸脱することなく様々な変更を行うことができ、均等物を代用することができることを当業者は理解されよう。さらに、本発明の範囲から逸脱することなく、特定の状況または材料に適応するように本発明の教示に多数の変更を行うことができる。したがって、本発明は開示する特定の実施形態に限定されず、本発明は、添付の特許請求の範囲内に包含されるすべての実施形態を含むものとする。
【符号の説明】
【００６８】
１００  画像読取りシステム
１１０  ワークリスト
１２０  調査対象
１２５  選択
１３０  画像
２００  システム
２１０  協議アプリケーション
２１５  選択
２２０  画像
３００  システム
３１０  共同作業セッション
３１５  命令
４００  システム
４１０  共同作業メッセージングウィンドウ
４１５  ユーザメッセージ
４２０  共同作業エンジン
４３０  モバイルデバイス
５００  共同作業システム
５１０  共同作業セッション
５１５  メッセージ
５１６  第１命令
５１８  第２命令
５２０  モバイルデバイス
５２２  画像
５２４  ズーム因子
６００  共同作業システム
６１０  モバイルデバイス
６１５  メッセージ
６２０  ワークステーション
６２２  画像
６２４  命令
７００  共同作業システム
７１０  共同作業エンジン
７２０  第１アクセスデバイス
７３０  第２アクセスデバイス
７４０  臨床サブシステム
１０１０  メッセージ
１０１２、１０１４、１０１６  命令セグメント
１０２０  文法変換器
１０２２、１０２４、１０２６  要素
１１３０  構文解析
１１３２、１１３４、１１３６  マッチ確率
１２４０  ＵＲＬマッチング
１２４８  ＵＲＬ
１２４２、１２４４、１２４６  確率
１３００  臨床エンタープライズシステム
１３１０  データソース
１３２０  外部システム
１３３０  ネットワーク
１３４０  第１アクセスデバイス
１３４５  第１ユーザインターフェース
１３５０  第２アクセスデバイス
１３５５  第２ユーザインターフェース
１４００  プロセッサシステム
１４０２  プロセッサ
１４０４  相互接続バス
１４０６  チップセット
１４０８  メモリコントローラ
１４１０  入出力コントローラ
１４１２  システムメモリ
１４１４  大容量記憶メモリ
１４１６、１４１８  Ｉ／Ｏデバイス
１４２０  ネットワークインターフェース
１４２２  Ｉ／Ｏバス
【図１】
2012141979.tif 000003
【図２】
2012141979.tif 000004
【図３】
2012141979.tif 000005
【図４】
2012141979.tif 000006
【図５】
2012141979.tif 000007
【図６】
2012141979.tif 000008
【図７】
2012141979.tif 000009
【図８】
2012141979.tif 000010
【図９】
2012141979.tif 000011
【図１０】
2012141979.tif 000012
【図１１】
2012141979.tif 000013
【図１２】
2012141979.tif 000014
【図１３】
2012141979.tif 000015
【図１４】
2012141979.tif 000016